(57)【要約】【課題】スワップ発生の対策をユーザに通知することにより原稿の読み取り時間の効率を向上し得るスキャナドライバを提供する。【解決手段】  クライアント端末ＰＣのドライバは、アプリケーションソフトに従って複合機の画像読取部（スキャナ）に指示して原稿からのデータの読み取りを行わせる基本機能の他、原稿読み取り実行に際して予め指定されたスキャン設定値からデータサイズを算出した後、記憶装置の現在の残り記憶容量、及び複合機のＣＰＵ規格を確認し、記憶装置の予想時間管理ＤＢに対応する過去のデータが登録されていない場合の予想時間算出処理において、ＣＰＵ規格に従ってデータサイズが残り記憶容量を超過している状態のスワップ発生を判定した結果、スワップ発生時にはスワップ発生にならない条件を予想時間管理ＤＢに登録された過去のスキャナ設定値（用紙サイズ、解像度、色数）から算出して表示装置の表示画面上へ表示する。【選択図】図５
2011066502.tif 000002
【特許請求の範囲】
【請求項１】
情報処理装置に搭載されると共に、所定のアプリケーションに従って、スキャナに指示して原稿からのデータの読み取りを行わせるためのスキャナドライバにおいて、前記スキャナによる前記原稿読み取り実行に際して予め指定されたスキャン設定値からデータサイズを算出した後、前記情報処理装置における現在の残り記憶容量、及び前記複合機のＣＰＵにおける規格を確認し、当該ＣＰＵ規格に従って当該データサイズが当該残り記憶容量を超過している状態のスワップ発生を判定した結果、当該スワップ発生時には当該スワップ発生にならない条件を通知することを特徴とするスキャナドライバ。
【請求項２】
請求項１記載のスキャナドライバにおいて、前記スワップ発生時に当該スワップ発生にならないスキャン設定値を通知することを特徴とするスキャナドライバ。
【請求項３】
請求項１記載のスキャナドライバにおいて、前記スワップ発生時に稼動中の前記アプリケーションの終了を促すことを特徴とするスキャナドライバ。
【請求項４】
請求項１〜３の何れか１項記載のスキャナドライバにおいて、前記スキャン設定値は、用紙サイズ、解像度、色数であることを特徴とするスキャナドライバ。
【請求項５】
請求項１〜４の何れか１項記載のスキャナドライバにおいて、前記情報処理装置における現在の残り記憶容量及び前記ＣＰＵ規格に基づいて前記原稿の読み取り時間を算出して記憶登録すると共に、当該登録された当該読み取り時間情報に基づいて次回以降の読み取り時に所要時間を提示し、且つ対応する当該読み取り時間情報が登録されていない場合に当該原稿の読み取り予想所要時間を算出する際、前記スワップ発生の判定結果が当該スワップ発生時に当該スワップ発生にならない条件を通知することを特徴とするスキャナドライバ。
【請求項６】
請求項５記載のスキャナドライバにおいて、予め設定された希望読み取り所要時間の設定値に近い読み取り条件を推奨提示し、前記スキャン設定値を変更した場合にも推奨提示を行うことを特徴とするスキャナドライバ。
【請求項７】
請求項１〜６の何れか１項記載のスキャナドライバを備えたことを特徴とする情報処理装置。
【請求項８】
情報処理装置に搭載されると共に、所定のアプリケーションに従って、スキャナに指示して原稿からのデータの読み取りを行わせるためのスキャナドライバで実行されるスキャナドライバ用プログラムにおいて、前記スキャナによる前記原稿読み取り実行に際して予め指定されたスキャン設定値からデータサイズを算出するデータサイズ算出ステップと、前記情報処理装置における現在の残り記憶容量、及び前記複合機のＣＰＵにおける規格を確認する確認ステップと、前記ＣＰＵ規格に従って前記データサイズが前記残り記憶容量を超過している状態のスワップ発生を判定するスワップ判定ステップと、前記判定結果が前記スワップ発生であるときに当該スワップ発生にならない条件を通知する条件通知ステップと、についての処理手順の情報を有することを特徴とするスキャナドライバ用プログラム。
【請求項９】
請求項８記載のスキャナドライバ用プログラムにおいて、前記条件通知ステップは、前記スワップ発生時に当該スワップ発生にならないスキャン設定値を通知することを特徴とするスキャナドライバ用プログラム。
【請求項１０】
請求項８記載のスキャナドライバ用プログラムにおいて、前記条件通知ステップは、前記スワップ発生時に稼動中の前記アプリケーションの終了を促すことを特徴とするスキャナドライバ用プログラム。
【請求項１１】
請求項８〜１０の何れか１項記載のスキャナドライバ用プログラムにおいて、前記スキャン設定値を用紙サイズ、解像度、色数としたことを特徴とするスキャナドライバ用プログラム。
【請求項１２】
請求項８〜１１の何れか１項記載のスキャナドライバ用プログラムにおいて、前記情報処理装置における現在の残り記憶容量及び前記ＣＰＵ規格に基づいて前記原稿の読み取り時間を算出して記憶登録する記憶登録ステップと、前記登録された前記読み取り時間情報に基づいて次回以降の読み取り時に所要時間を提示する所要時間提示ステップと、を有し、前記条件通知ステップでは、対応する前記読み取り時間情報が登録されていない場合に前記原稿の読み取り予想所要時間を算出する際、前記スワップ発生の判定結果が当該スワップ発生時に当該スワップ発生にならない条件を通知することを特徴とするスキャナドライバ用プログラム。
【請求項１３】
請求項１２記載のスキャナドライバ用プログラムにおいて、予め設定された希望読み取り所要時間の設定値に近い読み取り条件を推奨提示するステップと、前記スキャン設定値を変更した場合に推奨提示を行うステップと、を有することを特徴とするスキャナドライバ用プログラム。
【請求項１４】
請求項８〜１３の何れか１項記載のスキャナドライバ用プログラムにおける前記各ステップにおける前記処理手順の情報を前記スキャナドライバにより読み出して実行可能に格納したことを特徴とする記録媒体。
【発明の詳細な説明】
【技術分野】
【０００１】
本発明は、異種機能を構築した複合機のスキャナで原稿から読み取りを行うときにネットワーク経由で動作指示するクライアント端末（情報処理装置）の容量不足により読み取り失敗することを回避するためのスキャナドライバ、情報処理装置、スキャナドライバ用プログラム、及びそれを格納した記録媒体に関する。
【背景技術】
【０００２】
従来、一般的な画像形成装置ではメモリ容量が比較的少なく、特に最近のコピー機能、プリンタ機能、ＦＡＸ機能等の異種機能を構築した複合機ではその傾向が顕著であるため、原稿からの読み取りの動作指示を行うための情報処理装置（クライアント端末）をネットワーク経由で接続して複合機システムを構成することにより、複合機の記憶容量不足を補う手法が知られている。
【０００３】
こうしたネットワーク経由で接続されたシステムにおける記憶容量不足を対策した周知技術としては、例えば送信データが制限容量を越える等の送信トラブルを未然に回避できるようにした「ネットワークスキャナ装置」（特許文献１参照）が挙げられる。
【発明の概要】
【発明が解決しようとする課題】
【０００４】
上述した特許文献１に係る技術は、スキャナの原稿読み込み時に情報処理装置（ＰＣ）のハードディスク（ＨＤＤ）の記憶容量不足での読み込み失敗を回避するため、原稿読み込み時に読み込みデータのサイズを算出してユーザに通知し、読み込み失敗を回避する手法を提案したものである。
【０００５】
ところで、昨今のスキャナを有する複合機（デジタル複合機）や情報処理装置（ＰＣ）では、規格（スペック）が高レベルになっており、高解像度の画像データの読み取りが可能となっているものも少なくない。
【０００６】
そこで、特許文献１に係る技術の複合機にネットワーク経由で原稿からの読み取りの動作指示を行うための情報処理装置を接続して構成される複合機システムを想定した場合、複合機では多色高解像度の画像データの読み込みが可能になっているが、そのデータサイズは解像度が高くなると膨大になり、読み取りの動作指示を行うため（或いは画像データ処理を行うことも可能）の情報処理装置が低規格（スペック）であれば、データサイズが情報処理装置の残り記憶容量を超過する状態のスワップ発生が頻繁に起こり、しかもその対策が何等配慮されていないことにより、結果として読み込みに時間がかかり過ぎてしまう難点を解消できないという問題がある。
【０００７】
本発明は、このような問題点を解決すべくなされたもので、その技術的課題（目的）は、スワップ発生の対策をユーザに通知することにより原稿の読み取り時間の効率を向上し得るスキャナドライバ、情報処理装置、スキャナドライバ用プログラム、及びそれを格納した記録媒体を提供することにある。
【課題を解決するための手段】
【０００８】
本発明は、上記技術的課題を解決したものであり、情報処理装置に搭載されると共に、所定のアプリケーションに従って、スキャナに指示して原稿からのデータの読み取りを行わせるためのスキャナドライバにおいて、スキャナによる原稿読み取り実行に際して予め指定されたスキャン設定値からデータサイズを算出した後、情報処理装置における現在の残り記憶容量、及び複合機のＣＰＵにおける規格を確認し、当該ＣＰＵ規格に従って当該データサイズが当該残り記憶容量を超過している状態のスワップ発生を判定した結果、当該スワップ発生時には当該スワップ発生にならない条件を通知することを特徴とする。
【発明の効果】
【０００９】
本発明によれば、スワップ発生が起きてもその対策をユーザに通知するため、ユーザによる対策に沿った操作に応じて原稿の読み取り時間の効率を有効に向上させることができる。
【図面の簡単な説明】
【００１０】
【図１】本発明の実施例１に係る複合機システムの全体構成を示した概略ブロック図である。
【図２】図１に示す複合機システムに備えられるクライアント端末ＰＣの細部構成を示した簡易ブロック図である。
【図３】図２に示すクライアント端末ＰＣに備えられる表示装置の表示画面上に表示された原稿の読み取りについての予想所要時間通知画面を例示したものである。
【図４】図２に示すクライアント端末ＰＣに備えられる記憶装置で記憶管理される原稿の読み取りについての予想速度に関するスキャン設定値を含む項目データを例示したテーブル形式のデータ模式図である。
【図５】図２に示すクライアント端末ＰＣに備えられるドライバにおける読み込み動作処理を示したフローチャートである。
【図６】図５に示す動作処理に含まれる予想時間算出処理の細部処理を示したフローチャートである。
【発明を実施するための形態】
【００１１】
以下に、本発明のスキャナドライバ、情報処理装置、スキャナドライバ用プログラム、及びそれを格納した記録媒体について、図面を参照して詳細に説明する。
【実施例１】
【００１２】
図１は、本発明の実施例１に係る複合機システムの全体構成を示した概略ブロック図である。
【００１３】
この複合機システムは、画像読取部（スキャナ）１２により原稿から読み取ったデータを処理して画像データとしてジョブ履歴に対応させて記憶手段であるＨＤＤ１に記憶し、その記憶された画像データを用いてのコピー機能、プリンタ機能、ＦＡＸ機能等の異種機能を構築した複合機１００にＬＡＮ（ローカルエリアネットワーク）１３によるネットワーク１５を介して情報処理装置としてのクライアント端末ＰＣ（パーソナルコンピュータ）２０が接続されて構成されている。
【００１４】
このうち、複合機１００は、異種機能を構築するための各部として、ＨＤＤ１や画像読取部１２以外に、ホストコンピュータとの接続を行うためのホストＩ／Ｆ（インターフェース）２、所定の読み出し情報が格納されたＲＯＭ３、ＬＡＮ１３との接続を行うためのネットワークＩ／Ｆ（インターフェース）４、ＵＳＢメモリとの接続を行うためのＵＳＢ  Ｉ／Ｆ（インターフェース）５、異種機能の構築に必要な各種情報を格納した機能管理テーブル６、パネル装置との接続を行うためのパネルＩ／Ｆ（インターフェース）７、各種データ処理を行うＣＰＵ８、データ処理に必要な情報を記憶するＮＶＲＡＭ９、及び外部の公衆回線１１に接続される通信部１０を備えている。
【００１５】
図２は、この複合機システムに備えられるクライアント端末ＰＣ２０の細部構成を示した簡易ブロック図である。
【００１６】
このクライアント端末ＰＣ２０は、複数台の使用が可能なものであるが、基本構成として、原稿読み取り指示に必要な情報を記憶した記憶装置２１と、ユーザへの操作指示に供されるキーボード、マウス等による入力装置２２と、操作指示の設定情報や動作処理情報等を表示するディスプレイによる表示装置２３と、原稿読み取りを含む全体の基本動作を格納したアプリケーションソフト（ＡＰプログラム）２４、２５と、アプリケーションソフト（ＡＰプログラム）２４、２５に従って複合機１００の画像読取部１２に対する動作指示制御を行うドライバ（スキャナドライバ）２６と、外部の他の機器を並列接続するためのパラレルＩ／Ｆ（インターフェース）２７と、ＵＳＢメモリを接続するためのＵＳＢ  Ｉ／Ｆ（インターフェース）と、ネットワーク１５との接続を行うためのネットワークＩ／Ｆ（インターフェース）２９と、を備えている。
【００１７】
このうち、ドライバ２６は、アプリケーションソフト２４、２５に従って複合機１００における画像読取部１２に指示して原稿からのデータの読み取りを行わせるために設けられているが、ここではその他に以下に説明するような特徴的な機能を担う。即ち、ここでのドライバ２６は、画像読取部１２による原稿読み取り実行に際して予め指定されたスキャン設定値からデータサイズを算出した後、クライアント端末ＰＣ２０における記憶装置２１の現在の残り記憶容量、及び複合機１００のＣＰＵ８における規格を確認し、ＣＰＵ規格に従ってデータサイズが残り記憶容量を超過している状態のスワップ発生を判定した結果、スワップ発生時にはスワップ発生にならない条件を通知する機能を持つ。
【００１８】
具体的に云えば、ドライバ２６は、スワップ発生時にスワップ発生にならないスキャン設定値である用紙サイズ、解像度、色数を通知し、スワップ発生時に稼動中のアプリケーションソフト２４、２５の終了を促す。
【００１９】
また、ドライバ２６は、クライアント端末ＰＣ２０における記憶装置２１の現在の残り記憶容量及びＣＰＵ規格に基づいて原稿の読み取り時間を算出して記憶装置２１に記憶登録すると共に、登録された読み取り時間情報に基づいて次回以降の読み取り時に所要時間を提示し、且つ対応する読み取り時間情報が登録されていない場合に原稿の読み取り予想所要時間を算出する際、上述したスワップ発生の判定結果がスワップ発生時にスワップ発生にならない条件を通知する。
【００２０】
更に、ドライバ２６は、予め設定された希望読み取り所要時間の設定値に近い読み取り条件を表示装置２３の表示画面上に推奨提示し、スキャン設定値を変更した場合にも表示装置２３の表示画面上に推奨提示を行う。
【００２１】
図３は、クライアント端末ＰＣ２０に備えられる表示装置２３の表示画面上に表示された原稿の読み取りについての予想所要時間通知画面を例示したものである。
【００２２】
ここでは、記憶装置２１から抽出された過去に読み取りを行った読み取り時間情報に基づいて表示された予想所要時間について、ユーザに対してスキャン設定値を変更するか否かを促して選択設定できる様子を示している。具体的には、現在の設定状態では予想所要時間が６０秒かかる見込みであり、スキャン設定値として解像度を変更、色数を変更、サイズを変更すると共に、その他としてこのまま実行を指示選択できるものとなっている。
【００２３】
図４は、記憶装置２１で記憶管理される原稿の読み取りについての予想速度に関するスキャン設定値を含む項目データを例示したテーブル形式のデータ模式図である。
【００２４】
ここでは、識別番号Ｎｏ．１、Ｎｏ．２のものについて、それぞれサイズ（ｐｉｘｅｌ）が１０００×２０００、１０００×２０００、色数が２５６、２４ｂｉｔフルカラー、残メモリが１００〜２００ＭＢ、４００〜５００ＭＢ、ＣＰＵ情報がＰｅｎｔｉｕｍ（登録商標）４  ２Ｇｚ、Ｐｅｎｔｉｕｍ（登録商標）４  ２Ｇｚ、予想（所要）時間が６０秒、５秒である場合を例示している。
【００２５】
図５は、ドライバ２６における読み込み動作処理を示したフローチャートである。但し、ここでは読み取り事前処理として、希望する読み取り時間が予め登録されているものとする。
【００２６】
まず、クライアント端末ＰＣ２０における入力装置２２でスキャン設定値である用紙サイズ、解像度、色数を指定することにより、ドライバ２６による複合機１００の画像読取部１２に対する動作指示が行われ、ＰＣ上で原稿読み取り実行（ステップＳ１）の処理が行われる。
【００２７】
次に、ドライバ２６は、指定されたスキャン設定値の用紙サイズ、解像度、色数から原稿の読み取り画像のサイズを示すデータサイズを算出（ステップＳ２）した後、クライアント端末ＰＣ２０における記憶装置２１の現在の残り記憶容量、複合機のＣＰＵ８の規格を確認することにより、ＰＣの現在の残メモリ、ＣＰＵスペックを調べる（ステップＳ３）処理を行う。
【００２８】
更に、記憶装置２１内の予想時間管理ＤＢにおいて、対応する過去の読み取り時間情報に関するデータが登録されているか否かを確認することにより、ＤＢに与えられた情報での読み込み時間が登録されているか否かの判定（ステップＳ４）を行う。
【００２９】
この判定の結果、対応する読み込み時間が登録されていれば、ＤＢより予想時間を抽出（ステップＳ５）する処理を行うが、対応する読み込み時間が登録されていなければ、予想時間算出処理（ステップＳ１０）を行う。尚、予想時間算出処理（ステップＳ１０）の細部については、後文で詳述する。
【００３０】
上述したＤＢより予想時間を抽出（ステップＳ５）した後、ドライバ２６はスキャン設定値の解像度、色数、用紙サイズ（画像範囲）を下げた場合の予想（所要）時間を予想時間管理ＤＢから抽出（ステップＳ６）する。ここでは、予め登録してある希望する読み取り時間に近い解像度、色数、用紙サイズ（画像範囲）を抽出する。
【００３１】
更に、ドライバ２６は、現設定での予想処理時間、及び希望処理時間に近い設定を通知（ステップＳ７）する。ここでは、表示装置２３の表示画面上に図３に示したような予想所要時間通知画面を表示し、ユーザによる選択が行われる。例えば解像度、色数の変更を選択した場合にはそれらを設定変更した後、「そのまま実行」を選択した場合には設定変更せずに次の処理へ移行する。また、サイズの変更を選択した場合には新規ＵＩを表示し、用紙上のどこを読み取るかの指定を行う。その際、面積は固定（推奨サイズ）で縦横比が自由に変化するＵＩで指定できるようにする。
【００３２】
引き続き、ドライバ２６は、上述した予想時間算出処理（ステップＳ１０）を行った後と同様に、選択した設定内容で原稿の読み取りを実行することにより、選択した設定で読み込み実行（ステップＳ８）する処理を行う。この後、ドライバ２６は、読み込み時間を計測し、設定内容と読み込み時間とを記憶装置２１の予想時間管理ＤＢに登録（例えば図４に示したテーブル形式で記憶登録）する。
【００３３】
図６は、上述した予想時間算出処理（ステップＳ１０）の細部処理を示したフローチャートである。
【００３４】
この予想時間算出処理（ステップＳ１０）は、対応する読み込み時間が登録されていない場合にドライバ２６により行われるもので、動作開始されると、まず記憶装置２１の現在の残り記憶容量（サイズ）とスキャン設定値から算出したデータサイズとを比較し、データサイズが残り記憶容量（残メモリ）を超過している状態のスワップ発生であるか否かの判定（ステップＳ１１）を行う。
【００３５】
この判定の結果、スワップ発生でなれば動作処理を行わずに動作終了として、次の処理である図５で説明した選択した設定で読み込み実行（ステップＳ８）する処理へ移行するが、スワップ発生であれば、記憶容量（残メモリ）の減少により処理速度が低下するため、稼動中の他のアプリケーション終了を促すメッセージを表示装置２３の表示画面上に表示（ステップＳ１２）した後、記憶容量（残メモリ）がデータサイズを超過するスワップ発生にならない条件のスキャン設定値（推奨スキャン設定値）の解像度、色数、用紙サイズ（画像範囲）を算出（ステップＳ１３）する。最後に、推奨すべき解像度、色数、用紙サイズ（画像範囲）を通知（ステップＳ１４）する。ここでは、表示装置２３の表示画面上にユーザにより選択可能な画面を表示し、この後は上述した場合と同様に動作終了として、選択した設定で読み込み実行（ステップＳ８）する処理へ移行する。
【００３６】
ところで、上述したドライバ２６の動作処理機能は、アプリケーションソフト２４、２５に従って複合機１００における画像読取部１２に指示して原稿からのデータの読み取りを行わせるためのドライバ２６自体で実行可能なスキャナドライバ用プログラムとして構築することや、或いはそのスキャナドライバ用プログラムにおける各ステップにおける処理手順の情報をドライバ２６により読み出して実行可能に格納した記録媒体としても提供することが可能である。
【００３７】
こうした場合のスキャナドライバ用プログラムは、画像読取部（スキャナ）１２による原稿読み取り実行に際して予め指定されたスキャン設定値からデータサイズを算出するデータサイズ算出ステップと、クライアント端末ＰＣ２０における記憶装置２１における現在の残り記憶容量、及び複合機１００のＣＰＵ８における規格を確認する確認ステップと、ＣＰＵ規格に従ってデータサイズが残り記憶容量を超過している状態のスワップ発生を判定するスワップ判定ステップと、判定結果がスワップ発生であるときに当該スワップ発生にならない条件を通知する条件通知ステップと、についての処理手順の情報を有するものであることを基本とする。
【００３８】
その他は、上述したドライバ２６の機能処理と同様であり、条件通知ステップは、スワップ発生時にスワップ発生にならないスキャン設定値を通知する。具体的には、条件通知ステップでは、スワップ発生時に稼動中のアプリケーションの終了を促す。また、スキャン設定値を用紙サイズ、解像度、色数とする。
【００３９】
更に、係るスキャナドライバ用プログラムは、クライアント端末ＰＣ２０における記憶装置２１における現在の残り記憶容量、及び複合機１００のＣＰＵ８における規格に基づいて原稿の読み取り時間を算出して記憶登録する記憶登録ステップと、登録された読み取り時間情報に基づいて次回以降の読み取り時に所要時間を提示する所要時間提示ステップと、を有するものであれば良い。但し、こうした場合においても、上述した条件通知ステップでは、対応する読み取り時間情報が登録されていない場合に原稿の読み取り予想所要時間を算出する際、スワップ発生の判定結果がスワップ発生時にスワップ発生にならない条件を通知するものである。
【００４０】
加えて、係るスキャナドライバ用プログラムは、予め設定された希望読み取り所要時間の設定値に近い読み取り条件を推奨提示するステップと、スキャン設定値を変更した場合に推奨提示を行うステップと、を有するものであれば良い。
【００４１】
何れにしても、本発明のスキャナドライバ、情報処理装置、スキャナドライバ用プログラム、及びそれを格納した記録媒体によれば、スワップ発生が起きてもその対策がユーザに通知されるため、ユーザがその対策に沿った操作を行うことにより、原稿の読み取り時間の効率を有効に向上させることができる。また、ユーザに対して最適な条件でのスキャナ読み取り処理を具現できると共に、ユーザのＰＣの現在の状況に応じたスキャナ読み取り処理を具現することができる。更に、実際の読み取り動作での処理時間の情報を有効に活用することができ、精度の高い予想所要時間の情報を提示できる他、ユーザの希望に応じた推奨条件やユーザに多岐選択に及ぶ読み取り条件を提供することができる。
【符号の説明】
【００４２】
１  ＨＤＤ
２  ホストＩ／Ｆ（インターフェース）
３  ＲＯＭ
４、２９  ネットワークＩ／Ｆ（インターフェース）
５、２８  ＵＳＢ  Ｉ／Ｆ（インターフェース）
６  機能管理テーブル
７  パネルＩ／Ｆ（インターフェース）
８  ＣＰＵ
９  ＮＶＲＡＭ
１０  通信部
１１  公衆回線
１２  画像読取部（スキャナ）
１３  ＬＡＮ（ローカルエリアネットワーク）
１４  ＵＳＢデバイス
１５  ネットワーク
２０  クライアント端末ＰＣ（パーソナルコンピュータ）
２１  記憶装置
２２  入力装置
２３  表示装置
２４、２５  アプリケーションソフト（ＡＰプログラム）
２６  ドライバ（スキャナドライバ）
２７  パラレルＩ／Ｆ（インターフェース）
【先行技術文献】
【特許文献】
【００４３】
【特許文献１】特開２００４−２２１８２６号公報
【図１】
2011066502.tif 000003
【図２】
2011066502.tif 000004
【図３】
2011066502.tif 000005
【図４】
2011066502.tif 000006
【図５】
2011066502.tif 000007
【図６】
2011066502.tif 000008